(57)【要約】【課題】ランドセルを背負った場合、ランドセルが重く感ずることがなくて疲れも少なく、良好な使用感が得られ、しかも、箱詰めによる梱包も支障なく容易に行なえる背負いバンドの取付具を提供する。【解決手段】ランドセルＲの背当て部１前面の上部に取着され上方へ突出する一対のアーム部材１２，１２を備えた取付具本体８と、各アーム部材１２の上端部に前後方向へ回動するように軸着されかつその軸着部２４を挟んだ一側部に背負いバンド５が取着される連結環２３とからなり、各連結環２３の他側部に各アーム部材１２の前面に当接し該各連結環２３の前側への回動動作を阻止して該各連結環２３が上向きに保持される阻止部２３ｃを設けた構成からなる。【選択図】図３
2006068454.tif 000002
【特許請求の範囲】
【請求項１】
ランドセルの背当て部前面の上部に取着され上方へ突出する一対のアーム部材を備えた取付具本体と、前記各アーム部材の上端部に前後方向へ回動するように軸着されかつその軸着部を挟んだ一側部に背負いバンドが取着される連結環とからなり、前記各連結環の他側部に前記各アーム部材の前面に当接し該各連結環の前側への回動動作を阻止して該各連結環を上向きに保持する阻止部が設けられた背負いバンドの取付具。
【請求項２】
前記各背負いバンドの上端部に前記各連結環の前面全体を覆う被覆片を一体に固着した請求項１記載の背負いバンドの取付具。
【請求項３】
前記各アーム部材が前記取付具本体に左右方向へ揺動自在に取着されると共に常には弾性手段により互いに中央部側へ寄るように付勢される請求項１又は２記載の背負いバンドの取付具。
【発明の詳細な説明】
【技術分野】
【０００１】
本発明は、ランドセルの背当て部前面の上部に取り付け一対の背負いバンドが取着される取付具に関するものである。
【背景技術】
【０００２】
従来のランドセルは、その背当て部前面の上部に背負いバンドの取付具が取着され、該取付具に左右一対の背負いバンドの各上端部が取着されている。詳しくは、取付具本体に上方へ突出する一対のアーム部材が設けられ、該各アーム部材の上端部に略三角形状の連結環が前後方向へ自在に回動するように軸着される。そして、各連結環に各背負いバンドの上端部が巻着され、しかも、回動自在に連結されている（例えば、特許文献１参照。）。
【特許文献１】特開２００２−２９１５１１号公報（第４−５頁、図１、図２）
【発明の開示】
【発明が解決しようとする課題】
【０００３】
しかしながら、前記特許文献１に係るランドセルは、各連結環が各アーム部材の上端部に回動自在に連結されかつ各背負いバンドの先端部も各連結環に回動自在に連結されており、各背負いバンドの上端部が回動して動き易い構造になっている。よって、このランドセルを背負った場合、前記両連結環が各アーム部材の上端部を中心として前側、すなわち背中側、へ回動し、ランドセルが背中から離れて後方へ傾く傾向にある。このような状態では、使用中にランドセルの重心が背中から離れると共に次第に両背負いバンドも肩からずれてランドセルが下がってしまい、ランドセルが重く感じられて疲れるばかりか背負い難いという課題があった。
【０００４】
そこで、本発明は上記課題を解決すべくなされたもので、ランドセルを背負った場合に背負いバンドが斜め上方へ引っ張られて、背当て部が背中に密着した状態に保たれ、ランドセルが重く感ずるようなことがなくて疲れも少なく、良好な使用感が得られるようにした背負いバンドの取付具を提供することを目的とするものである。
【課題を解決するための手段】
【０００５】
かかる目的を達成するため、本発明に係る背負いバンドの取付具は、ランドセルの背当て部前面の上部に取着され上方へ突出する一対のアーム部材を備えた取付具本体と、前記各アーム部材の上端部に前後方向へ回動するように軸着されかつその軸着部を挟んだ一側部に背負いバンドが取着される連結環とからなり、各連結環の他側部に各アーム部材の前面に当接し該各連結環の前側への回動動作を阻止して該各連結環を上向きに保持する阻止部が設けられた構成からなる。
【０００６】
また、この場合、本発明は前記各背負いバンドの上端部に前記各連結環の前面全体を覆う被覆片を一体に固着することが好ましい。
【０００７】
更に、本発明は前記各アーム部材が前記取付具本体に左右方向へ揺動自在に取着されると共に常には弾性手段により互いに中央部側へ寄るように付勢されていることが好ましい。
【発明の効果】
【０００８】
本発明の請求項１に係る背負いバンドの取付具は、各連結環が背中側である前方向へ回動したとき、各アーム部材の前面に阻止部が当接して上向きに保持され、それ以上の前方向への回動は阻止される。よって、ランドセルを背負った場合、ランドセルが斜め上方に引っ張られた状態になり、ランドセルの重心が背中から離れることがない。これにより、背当て部が背中に密着した状態に保たれ重く感ずることがなくて疲れも少なく、良好な使用感が得られるという効果が有る。
【０００９】
また、前記各連結環は後方向へは自在に回動するので、例えば、ランドセルを箱詰めして梱包する際には、両背負いバンドをランドセルのカバー部の表面に無理なく沿わせて配置でき、背負いバンドが包装箱の蓋の裏面に当接して蓋が被せられないといった支障もなく、箱詰めも容易に行なえるという効果が有る。
【００１０】
また、本発明の請求項２に係る背負いバンドの取付具は、各背負いバンドの上端部に各連結環の前面全体を覆う被覆片を一体に固着するようにしたので、被覆片が連結環の前面全体を覆うことになり、例えば、ランドセルを背負った状態で、アーム部材と連結環の阻止部との間に髪の毛が挟まって怪我をするといった危険も防止されるという効果が有る。
【００１１】
更に、本発明の請求項３に係る背負いバンドの取付具は、各アーム部材が取付具に左右方向へ揺動自在に取着されると共に常には弾性手段により互いに中央部側へ寄るように付勢されるので、学童の体格に合わせて両アーム部材をそれぞれ左右に移動させることができ、使用感の向上に寄与する。
【発明を実施するための最良の形態】
【００１２】
以下、本発明に係る背負いバンドの取付具の実施の形態を図面を参照して詳しく説明する。図１は本発明が適用されるランドセルの斜視図、図２（イ）は要部の分解斜視図、図２（ロ）は図２（イ）のＸ−Ｘ線拡大断面図である。
【００１３】
ランドセルＲは、学童が背負ったとき学童の背中に接する背当て部１と該背当て部１後側の上縁を残した周縁を囲う襠部２及び該襠部２の後側開放面を覆う前板部３とにより上面が開放した箱状に成形される。また、前記背当て部１の上端縁には前記開放上面及び前板部３の後面を覆うカバー部４が連接されている。カバー部４の下端縁に鍵金具（図示せず。）が取着され、該鍵金具を襠部２の底面に装着された錠金具（図示せず。）に自在に係脱して施錠又は開錠できるようになっている。
【００１４】
前記背当て部１の前面の中央上部に本発明に係る背負いバンドの取付具Ａが取着され、該取付具ＡにランドセルＲを背負うときに腕を通して肩にかける一対の背負いバンド５，５が取着される。背当て部１は、背中に当った場合のクッション性と安定性を持たせるためにクッション材（図示せず。）が内装され、その前側に合成皮革又は皮革製の表皮材６が貼着される。また、カバー部４も合成皮革又は皮革により成形され、前記背当て部１の上端部に一部重なるように重合しかつ縫着することにより一体に連設される。そして、その重合部の中央部に取付具Ａが位置し、その前側には前記取付具Ａの前面を覆うようにして合成皮革又は皮革製の当生地７が上端縁をのこして周縁を縫着して覆着される。
【００１５】
次に、取付具Ａについて説明する。取付具Ａは、合成樹脂材により横長扁平状に成形した取付具本体８を備えてなる。該取付具本体８は、図３（イ）、図４に示すように前半枠体９ａと後半枠体９ｂとからなり上面が開口１０すると共に内部に空洞部１１が成形される。空洞部１１内には、その左右両側にそれぞれ上端側が前記開口１０から上方へ突出するようにして合成樹脂材からなる一対のアーム部材１２，１２が左右対称となるように配置される。
【００１６】
各アーム部材１２は、それら上端部にそれぞれ左右方向へ伸びる軸挿通孔１３が設けられる。また、各軸挿通孔１３には補強のための金属管１４が嵌合されている。一方、各アーム部材１２の下端部に、前記後半枠体９ｂの内面に突設した筒軸部１５に嵌着する軸孔１６が貫設され、その軸孔１６から下方へ突出する突片１７に係止孔１８が設けられている。これにより、図３（ロ）に示すように両アーム部材１２，１２は前記筒軸部１５，１５を中心として左右に揺動自在に軸着される。また、両アーム部材１２，１２間に弾性手段である捩りバネ１９が配置されると共に該捩りバネ１９の両端部がそれぞれ前記各係止孔１８に嵌入している。
【００１７】
前記捩りバネ１９は、互いのアーム部材１２，１２をその上部側が常に中央部側へ寄るように付勢しており、後半枠体９ｂの内面に突設される一対の停止突片２０，２０により各アーム部材１２の内側への揺動範囲が規制されるようになっている。前記空洞部１１の中央部には、ランドセルＲを使用しないとき壁などに掛けるための吊下げ環２１が配置される。この吊下げ環２１は上端部が開口１０から上方へ突出され、下端部を後半枠体９ｂ内面の突起２２に嵌着させている。
【００１８】
前記各アーム部材１２の上端部の軸挿通孔１３にそれぞれ背負いバンド５を取着するための連結環２３が軸着される。各連結環２３は、所定の厚さ、例えば厚さ３ｍｍの鋼板を打ち抜いて上側部が外側へ向かって下傾する略方形状に成形される。すなわち、平行な両側杆部２３ａ，２３ａの内側の下側に、それぞれ該側杆部２３ａに対し直角をなしかつ一直線上に位置して対向する軸着部としての軸杆部２４，２４が一体に突設される。また、軸杆部２４，２４を挟んだ両側杆部２３ａ，２３ａの上側部に背負いバンド５の上端部が取着される上杆部２３ｂが設けられ、両側杆部２３ａ，２３ａの下側部に内側へ直角に折れ曲がり一直線上に位置する阻止部としての下杆部２３ｃ，２３ｃが突設されている。
【００１９】
そして、各軸杆部２４を各アーム部材１２の上端部の軸挿通孔１３に両端から挿通することにより、各連結環２３，２３が前後方向へ自在に回動するように軸着される。ただ、阻止部である各下杆部２３ｃは各アーム部材１２の前側に位置し、各連結環２３が前側へ回動して各下杆部２３ｃが各アーム部材１２の前面に当接すると、それ以上の前側への回動動作が阻止される。このとき、各連結環２３はほぼ上向きに保持され、各アーム部材１２，１２の上端部よりも各連結環２３の上杆部２３ｂの方が上方に位置することになる。
【００２０】
前記下杆部２３ｃ，２３ｃはそのほぼ中央部に切れ目が入れてあるが、これは前記軸挿通孔１３に各軸杆部２４をその両端部から挿入するために下杆部２３ｃ，２３ｃ側を開く必要があるからである。よって、各連結環２３を各軸挿通孔１３に挿通した後は、安全のため下杆部２３ｃ，２３ｃに被覆管（図示せず。）を嵌着することが好ましい。また、前記下杆部２３ｃ，２３ｃは前記構成に限らず、連結環２３の回動動作を阻止するものであれば、他の構成のものを選択しても良い。
【００２１】
このようにして各アーム部材１２に取着された各連結環２３に背負いバンド５が取着されることになる。各背負いバンド５は、皮革又は合成皮革からなる表地５ａと発泡樹脂層及び薄い皮革又は合成皮革からなる裏地５ｂとからなり、表地５ａと裏地５ｂとを貼り合わせ両縁を縫着することにより成形される。そして、各背負いバンド５の上端を各連結環２３にその裏側から挿通し、各上杆部２３ｂに巻回して折り返す。
【００２２】
この場合、それら上端部である折返し部５ｃに前記各連結環２３の前面全体を覆う被覆片２５を縫着して一体に固着する。この被覆片２５は、例えば皮革から成形されている。前記折り返された各背負いバンド５と各被覆片２５とは、さらにリベット２６止めして強固に固定される。
【００２３】
本発明に係る背負いバンドの取付具Ａは上記構成からなり、次に作用について説明する。学童がランドセルＲを背負った場合、各連結環２３が前方向へ回動し各下杆部２３ｃが各アーム部材１２の前面に当接してその回動動作が阻止され、図５に示すように各連結環２３がほぼ上向きに保持される。すなわち、アーム部材１２の上端部よりも背負いバンド５が取着される連結環２３の上杆部２３ｂの方が上方に位置する。
【００２４】
これにより、背負いバンド５がその高さ分後側すなわちランドセルＲ側へ引かれる。換言すれば、ランドセルＲが学童の背中側へ引かれることになる。よって、ランドセルＲが背中から離れて後方へ傾き難くなり、ランドセルＲの重心が背中から離れ各背負いバンド５のずれと共にランドセルＲが次第に下がるといった事態が回避される。このような状態でランドセルＲを背負った場合、ランドセルが斜め上方に引っ張られた状態になり、ランドセルの重心が背中から離れることがない。これにより、背当て部１が背中に密着した状態に保たれ重く感ずることがなく疲れも少なくなり、良好な使用感が得られる。
【００２５】
この際、図２（ロ）に示すように上杆部２３ｂの横断面は方形状に成形されているので、ここに背負いバンド５を巻着した場合、上杆部２３ｂ外周面の各角部が巻着部５ｄの内周面に深く食い込むこととなり、これによって、各上杆部２３ｂを中心とする背負いバンド５の回動動作を難しくしている。しかも、各背負いバンド５の折返し部５ｃに一体に固着される被覆片２５が各連結環２３の前面位置にまで達っしていることから、各背負いバンド５の上端部は各上杆部２３ｂを中心としてやや回動し難い構成になっている。よって、各連結環２３が上向きに保持されているとき、背負いバンド５もその上端部すなわち折返し部５ｃが各連結環２３と同様にそのまま上向きに保持され易い。
【００２６】
このようにして、背負いバンド５の上端部も上向きに保持されると、背負いバンド５が弛まず強く張った状態になり、ランドセルＲを背負ったとき該ランドセルＲの背当て部１が学童の背中にさらに密着した状態に保たれ、良好な使用感が増す。よって、例えば前記被覆片２５を比較的剛性に富む合成樹脂等の素材により成形すれば、好適である。
【００２７】
一方、出来上がったランドセルＲを厚紙製の包装箱Ｂに箱詰めして梱包する場合、図６に示すように各連結環２３が後方向へは自在に回動することから、両背負いバンド５，５も何ら無用な力が働くことなく容易に折り曲げでき、両背負いバンド５，５をカバー部４の表面に密着するように沿わせて配置できる。よって、包装箱ＢにランドセルＲを箱詰めしても、各背負いバンド５が蓋ｂに支えるようなことなく容易に収納でき、箱詰めが何ら支障なく行なえる。
【００２８】
また、本発明は、各背負いバンド５の上端部に各連結環２３の前面全体を覆う被覆片２５を一体に固着するようにしたので、各被覆片２５が各連結環２３の前面全体を覆うことから、例えば、ランドセルＲを背負った状態で、各アーム部材１２と各連結環２３の下杆部２３ｃとの間に髪の毛が挟まって怪我をするといった危険性もない。
【００２９】
更に、各アーム部材１２が取付具本体８に左右方向へ揺動自在に取着されると共に常には捩りバネ１９により互いに中央部側へ寄るように付勢されているので、学童の体格に合わせて両アーム部材１２，１２を左右にそれぞれ移動させることができ、使用感の向上に寄与する。
【００３０】
図７は他の実施の形態に係る連結環を示すものである。この連結環２７は本実施の形態に係る連結環２３と構成がほとんど同じなので、同一部位は同一番号を付すことにより詳しい説明は割愛する。すなわち、この連結環２７は左右線対称形となる一対の連結環２７，２７の内の一つである。両側杆部２３ａ，２３ａの下側にそれぞれ同一直線上に位置しかつ互いに対向位置させて、一方の側杆部２３ａに螺子孔２８が設けられ、他方の側杆部２３ａに螺子挿通孔２９が開設されている。そして、螺子３０を螺子挿通孔２９、アーム部材１２の軸挿通孔１３及び螺子孔２８の順に挿通し螺子止めすることにより、連結環２７が軸挿通孔１３に取着される。この場合は、下杆部２３ｃは中央で分離する必要がない。
【図面の簡単な説明】
【００３１】
【図１】本発明が適用されるランドセルの斜視図。
【図２】（イ）は要部の分解斜視図、（ロ）は図２（イ）のＸ−Ｘ線拡大断面図。
【図３】（イ）は取付具の正面断面図、（ロ）は同作用を示す正面断面図。
【図４】図３（イ）のＹ−Ｙ線拡大断面図。
【図５】作用を示すランドセルの側面図。
【図６】梱包されたランドセルの側面図。
【図７】他の実施の形態に係る連結環の斜視図。
【符号の説明】
【００３２】
１            背当て部
５            背負いバンド
８            取付具本体
１２          アーム部材
１９          弾性手段（捩りバネ）
２３          連結環
２３ｃ        阻止部（下杆部）
２４          軸着部（軸杆部）
２５          被覆片
２７          連結環
Ａ            背負いバンドの取付具
Ｒ            ランドセル
【図１】
2006068454.tif 000003
【図２】
2006068454.tif 000004
【図３】
2006068454.tif 000005
【図４】
2006068454.tif 000006
【図５】
2006068454.tif 000007
【図６】
2006068454.tif 000008
【図７】
2006068454.tif 000009